(57)【要約】　　　（修正有）【課題】ステープル釘を打ち込んだり、接着剤を用いたりする必要がなく、自由に分解や移動が可能である組み合わせ式の板の提供。【解決手段】本考案の組み合わせ式の板は、板の両側にそれぞれ互いにかみ合う雄と雌の嵌め込み部分がある。雄と雌の嵌め込み部分は、半分が内側でかみ合い、半分が外側に露出していて、互いにずれて、組み合わさる。雄と雌の嵌め込み部分の上下端は、異なった水平面にあり、互いにずれて組み合わさる。また、雄の嵌め込み部分は、上端が突出した嵌め込み突起になっていて、その嵌め込み部分突起底部には前端がやや傾斜した当り突起部分があって、雌の嵌め込み部分に嵌まり込みやすくなっている。そして、雌の嵌め込み部分の上端は、雄の嵌め込み部分の、嵌め込み突起に対応する、凹状の嵌め込み溝になっている。【選択図】図１
0003096937.tif 000002
【実用新案登録請求の範囲】
【請求項１】
板の両側にそれぞれ互いにかみ合う雄と雌の嵌め込み部分があり、該嵌め込み部分は、半分が内側でかみ合い、半分が外側に露出していて、互いにずれて、組み合わさるという構造で、
雄の嵌め込み部分は、上端が突出した嵌め込み突起になっていて、該嵌め込み部分突起底部には前端がやや傾斜した当り突起部分があって、雌の嵌め込み部分に嵌まり込みやすくなっていて、
雌の嵌め込み部分の上端は、雄の嵌め込み部分の、嵌め込み突起に対応する、凹状の嵌め込み溝になっていて、該嵌め込み溝の底部には、末端がやや傾斜した、当り窪み部分になっていて、もう一方の板の、雄の嵌め込み部分が嵌め込まれたときに、この当り部分の凹凸部分の傾斜面があることにより、雄雌の嵌め込み部分が互いにかみ合いやすいようになっている組み合わせ式の板。
【考案の詳細な説明】
【０００１】
【考案の属する技術分野】
本考案は組み合わせ式の板に関する。本考案の組み合わせ式の板は、雄の嵌め込み部分の上端が突出した嵌め込み突起になっていて、その嵌め込み突起の底部には前端がやや傾斜した当り突起部分がある。そして、雌の嵌め込み部分は、雄の嵌め込み部分の、嵌め込み突起に対応する、凹状の嵌め込み溝になっている。嵌め込み溝の底部には、末端がやや傾斜した、当り窪み部分になっていて、もう一方の板の、雄の嵌め込み部分が嵌め込まれたときに、この当り部分の凹凸部分の傾斜面があることにより、雄と雌の嵌め込み部分が互いにかみ合いやすいようになっている。したがって、ステープル釘を打ち込んだり、接着剤を用いたりする必要がなく、自由に分解や移動が可能であるため、引越しや再利用が可能で、環境保護の観点からもすぐれている。
【０００２】
【従来の技術】
図４、図５に示す通り、従来の組み合わせ式の板は、板５が中板６の上に順序よく並べられる。板５の両側にはそれぞれ凹状の嵌め込み溝５１と凸状の嵌め込み突起５２がある。別の板の嵌め込み突起５２は、嵌め込み溝５１の中にちょうど嵌まり込むようになっている。板５は、嵌め込み突起５２に嵌め込む前に、あらかじめ、ステープル釘７で嵌め込み突起５２の隅から中板６の上（あるいは、中板６と板５の間の接着剤）に固定して、板５を確実に中板６に釘付けて、地面に固定させる。さらに、嵌め込み溝５１の端に板５を合わせて嵌め込んで、板５を一枚ずつ並べていく。
【０００３】
【考案が解決しようとする課題】
しかしながら、板５は、実際に使用する際、以下のような問題が生じる。
１．従来の板５は、内装の際、ステープル釘７であらかじめ板５を中板６（あるいは、中板と組み合わせ板の間の接着剤）に固定しなければならない。しかしながら、この種のステープル釘７で固定する方式は、組み立てに手間がかかる上、地面が平らでない時は、ステープル釘が中に浮いて役に立たない上に、床を踏んだ時に音が発生する。
２．従来の板５は、内装の際、ステープル釘７であらかじめ板５を中板６に固定しなければならないため、板５を組み合わせて完成した後、全体が一枚の状態になる。したがって、任意に分解したり、移動したりすることができない。引越しの際、再度使用ができないので、無駄であり、不便である。
【０００４】
【課題を解決するための手段】
本考案の組み合わせ式の板は、板の両側にそれぞれ互いにかみ合う雄と雌の嵌め込み部分がある。雄と雌の嵌め込み部分は、半分が内部で嵌まり込み、半分が外側に露出していて、互いにずれて、組み合わさる。また、雄の嵌め込み部分は、上端が突出した嵌め込み突起になっていて、雌の嵌め込み部分が嵌まり込むようになっている。雌の嵌め込み部分の上端は、雄の嵌め込み部分の、嵌め込み突起に対応する、凹状の嵌め込み溝になっている。嵌め込み溝の底部には、末端がやや傾斜した、当り窪み部分になっていて、もう一方の板の、雄の嵌め込み部分が嵌め込まれたときに、この当り部分の凹凸部分の傾斜面があることにより、雄と雌の嵌め込み部分が互いにかみ合いやすいようになっている。したがって、ステープル釘を打ち込んだり、接着剤を用いたりする必要がなく、自由に分解や移動が可能であるため、引越しや再利用が可能で、環境保護の観点からもすぐれている。
【０００５】
【考案の実施の形態】
図１、図２に示す通り、本考案の組み合わせ式の板１は前後の両側にそれぞれ雄と雌の嵌め込み部分がある。左右両側には、それぞれ互いにかみ合う雄の嵌め込み部分１１、及び、雌の嵌め込み部分１２があり、この雄と雌の嵌め込み部分１１，１２は、半分が内部でかみ合い、半分が外側に露出した構造をしている。板１の外側に露出した半分は、ちょうど、もう一方の内部でかみ合う半分に対応して、互いにずれて、組み合わさるので、本考案の組み合わせ式の板１を並べて完成させると、一枚の床板となる。
雄の嵌め込み部分１１は、上端が突出した嵌め込み突起１１１になっていて、その嵌め込み部分突起１１１底部（つまり下端）には前端がやや傾斜した当り突起部分１１２があって、組み合わせ式の板１のもう一方の、雌の嵌め込み部分１２に嵌まり込みやすくなっている。
そして、雌の嵌め込み部分１２の上端は、雄の嵌め込み部分１１の、嵌め込み突起に対応する、凹状の嵌め込み溝１２１になっている。この嵌め込み溝１２１の底部には、末端がやや傾斜した、当り窪み部分１２２になっていて、板のもう一方の、雄の嵌め込み部分１１が嵌め込まれた時に、この当り部分の凹凸部分１２２，１１２の傾斜面があることにより、雄と雌の嵌め込み部分１１，１２が互いにかみ合いやすいようになっている。
図３に示す通り、本考案の組み合わせ式の板１は、雄と雌の嵌め込み部分１１，１２が互いに組み合わさるようになっていて、傾斜状の当り部分の凹凸部分１２２，１１２によって、互いにかみ合わさって一枚の床板になる構造である。形成された床板は丈夫で、確実に固定され、組み合わせた板がはずれたり、ずれたりすることがない。
したがって、本考案の組み合わせ式の板１は、ステープル釘７を打ち込んだり、接着剤を用いたりする必要がなく、自由に分解や移動が可能である。引越しの際も板を一枚一枚分解でき、板に損傷をあたえることなく、再度利用が可能で、環境保護の観点からもすぐれているという特長がある。
【０００６】
【考案の効果】
本考案の組み合わせ式の板は、ステープル釘を打ち込んだり、接着剤を用いたりする必要がなく、自由に分解や移動が可能である。引越しの際も板を一枚一枚分解でき、板に損傷をあたえることなく、再度利用が可能で、環境保護の観点からもすぐれているという特長がある。
【図面の簡単な説明】
【図１】本考案の組み合わせ式の板の平面図である。
【図２】（ａ）は本考案の組み合わせ式の板を組み合わせる前の、平面動作実施例図、（ｂ）は本考案の組み合わせ式の板を組み合わせた状態での、平面実施例図である。
【図３】本考案の組み合わせ式の板を組み立てる際の、平面実施例図である。
【図４】（ａ）は従来の組み合わせ式の板を組み合わせる前の、平面動作実施例図、（ｂ）は従来の組み合わせ式の板を組み合わせた状態での、平面実施例図である。
【図５】従来の組み合わせ式の板を、中板に固定して組み立てる際の状態を示した図である。
【符号の説明】
１…木の板、　　　１１…雄の嵌め込み部分、
１１１…嵌め込み突起、　　　１１２…当り突起部分、
１２…雌の嵌め込み部分、
１２１…嵌め込み溝、　　　１２２…当り窪み部分、
５…木の板、　　　５１…嵌め込み溝、
５２…嵌め込み突起、　　　６…中板、
７…ステープル釘
【図１】
0003096937.tif 000003
【図２】
0003096937.tif 000004
【図３】
0003096937.tif 000005
【図４】
0003096937.tif 000006
【図５】
0003096937.tif 000007